(57)【要約】本発明の１つの態様において、通信システムを制御する方法が提供される。本方法は、１５桁のＭＩＮベースのＩＭＳＩと１５桁の真のＩＭＳＩを格納するために通常使用される２つの位置でモバイル装置に１５桁の汎用識別子を格納することを含む。汎用識別子は、１０桁のモバイル識別番号（ＭＩＮ）および５桁のホームネットワーク識別子（ＨＮＩ）からなり、ＨＮＩは３桁のモバイル国コード（ＭＣＣ）および２桁のモバイル・ネットワーク・コード（ＭＮＣ）からなる。一般に、通信システムは汎用識別子を用いて国際ローミングを管理している。しかし、モバイル装置は、モバイル装置がホームネットワークの中にあることに応じて１０桁のＭＩＮのみを送信する。１５桁の汎用識別子を形成するために、ホームネットワークはそのＨＮＩを受信されるＭＩＮに追加する。モバイル装置がホームネットワークの外にある場合、モバイル装置は１５桁全ての汎用識別子を送信する。
2009512276.tif 000002
【特許請求の範囲】
【請求項１】
モバイル装置に汎用識別子を格納するステップと、
国際ローミングに使用可能である前記汎用識別子を基地局に送信するステップとを含むことを特徴とする方法。
【請求項２】
前記モバイル装置に前記汎用識別子を格納するステップが、前記汎用識別子をＭＩＮベースのＩＭＳＩのために指定された第１位置および真のＩＭＳＩのために指定された第２位置に格納するステップをさらに含むことを特徴とする請求項１に記載の方法。
【請求項３】
前記モバイル装置に前記汎用識別子を格納するステップが、モバイル識別番号およびホームネットワーク識別子からなる国際モバイル加入者識別情報を格納するステップをさらに含み、前記ホームネットワーク識別子が特定のサービス・プロバイダに対応することを特徴とする請求項１に記載の方法。
【請求項４】
国際ローミングに使用可能である前記汎用識別子を基地局に送信するステップが、前記モバイル装置がホームネットワークの中にあることに応じて前記モバイル識別番号のみを送信するステップをさらに含むことを特徴とする請求項３に記載の方法。
【請求項５】
前記モバイル装置がホームネットワークの中にあることに応じて前記モバイル識別番号のみを送信するステップが、
前記基地局の前記ホームネットワーク識別子の表示を受信するステップと、
前記モバイル装置と前記基地局の前記モバイル識別番号の合致に応じて前記モバイル識別番号のみを送信するステップとをさらに含むことを特徴とする請求項４に記載の方法。
【請求項６】
前記モバイル識別番号および前記ホームネットワーク識別子からなる前記国際モバイル加入者識別情報を格納するステップが、前記モバイル識別番号ならびに国コードおよびサービス・プロバイダコードからなる前記ホームネットワーク識別子からなる前記国際モバイル加入者識別情報を格納するステップをさらに含むことを特徴とする請求項３に記載の方法。
【請求項７】
前記モバイル識別番号ならびに国コードおよびサービス・プロバイダコードからなる前記ホームネットワーク識別子からなる前記国際モバイル加入者識別情報を格納するステップが、１０桁のモバイル識別番号を含む前記モバイル識別番号と、３桁の国コードを含む前記国コードと２桁のサービス・プロバイダコードとを含む前記サービス・プロバイダコードをさらに含むことを特徴とする請求項６に記載の方法。
【請求項８】
前記汎用識別子を前記基地局に送信するステップが、前記モバイル装置が前記ホームネットワークの外にあることに応じて前記モバイル識別番号および前記ホームネットワーク識別子を送信するステップをさらに含むことを特徴とする請求項３に記載の方法。
【請求項９】
前記モバイル装置が前記ホームネットワークの外にあることに応じて前記モバイル識別番号および前記ホームネットワーク識別子を送信するステップが、
前記基地局の前記ホームネットワーク識別子の表示を受信するステップと、
前記モバイル装置と前記基地局の前記モバイル識別番号が異なることに応じて前記モバイル識別番号および前記ホームネットワーク識別子の両方を送信するステップとをさらに含むことを特徴とする請求項８に記載の方法。
【発明の詳細な説明】
【技術分野】
【０００１】
本発明は、一般に電気通信に関し、より具体的には無線通信に関する。
【背景技術】
【０００２】
携帯電話などの無線通信分野では、システムは通常、システムによってサービスを提供されるエリア内に分散配置された複数の基地局を含む。その結果、エリア内の様々な固定式またはモバイルのユーザは、１つまたは複数の基地局を経由して、システムにアクセス可能であり、したがって他の相互接続された通信システムにアクセスすることができる。通常、ユーザが移動するとモバイル装置があるエリアを通過するため、モバイル装置は１つの基地局およびその後に別の基地局と通信することによってシステムとの通信を維持する。モバイル装置は、最も近い基地局、最も強い信号を有する基地局、通信を受け入れるに十分な容量を備えた基地局などと通信することが可能である。
【非特許文献１】「Ｉｎｔｅｒｎｅｔ  Ｐｒｏｔｏｃｏｌ」、Ｒｅｑｕｅｓｔ  ｆｏｒ  Ｃｏｍｍｅｎｔｓ（ＲＦＣ）７９１、１９８１年９月
【非特許文献２】「Ｉｎｔｅｒｎｅｔ  Ｐｒｏｔｏｃｏｌ，Ｖｅｒｓｉｏｎ６（ＩＰｖ６）Ｓｐｅｃｉｆｉｃａｔｉｏｎ」、ＲＦＣ２４６０、１９９８年１２月
【発明の開示】
【発明が解決しようとする課題】
【０００３】
多くのモバイル装置には、サービス・プロバイダによってモバイル識別番号（ＭＩＮ）と呼ばれる１０桁の固有の加入者識別子がプログラムされている。特に、米国のサービス・プロバイダは、国際モバイル加入者識別情報（ＩＭＳＩ）ではなくＭＩＮを利用している。サービス・プロバイダはＭＩＮを、確認、カスタマイズされたサービス提供および正しい料金請求のために使用することができる。しかし、ＭＩＮの使用に伴ういくつかの短所がある。例えば、携帯電話の急速な普及により、固有のＭＩＮの数は枯渇する恐れがある。さらに、ＭＩＮの使用には国際標準がなく、そのため国際ローミング標準はＭＩＮをサポートしていない。ＩＭＳＩを使用しているモバイル装置は、ＭＩＮのみを用いるセルラ方式にローミングすることができず、ＭＩＮを使用しているモバイル装置は、ＩＭＳＩのみを用いるセルラ方式にローミングすることができないが、それはＭＩＮに基づく経路設定がサポートされていないためである。
【課題を解決するための手段】
【０００４】
本発明は、上述の問題のうちの１つまたは複数の影響を克服または少なくとも低減することを目的とする。
【０００５】
本発明の１つの態様では、ある方法を提示する。本方法は、モバイル装置に汎用識別子を格納することと、この汎用識別子を基地局に送信し、この汎用識別子を国際ローミングに使用できるようにすることとを含む。
【０００６】
本発明のもう１つの側面では、ある方法を提示する。本方法は含む。
【０００７】
本発明は添付の図面とともに以下の説明を参照することで理解されよう。図中、同じ参照符号は同じ要素を示す。
【発明を実施するための最良の形態】
【０００８】
本発明は様々な変更および代替の形態が可能であるが、本発明の具体的な実施形態を図面で例として示しており、本明細書で詳細に説明する。しかし、具体的な実施形態に関する本明細書での説明は、本発明を開示された特定の形態に限定することを意図するものではなく、反対に、その意図は、添付の特許請求の範囲が定義する本発明の趣旨と範囲の中にある一切の変更形態、均等物および代替物を含むことを理解されたい。
【０００９】
本発明の例示的な実施形態を以下で説明する。話を分かりやすくするために、実際の実施態様の全ての特徴を本明細書で説明することはしない。こうした実際の実施形態の開発において、実施態様ごとに異なるシステム関連およびビジネス関連の制約への準拠といった開発者の特定の目標を達成するために、様々な実施態様固有の決定がなされ得ることが当然ながら理解されよう。また、こうした開発努力は複雑で時間がかかるかもしれないが、それでもこの開示の利点を得る当業者にとって通常の作業であることが理解されよう。
【００１０】
ここで図面、具体的には図１を参照すると、本発明の１つの実施形態による通信システム１００が示されている。例示的な目的で、図１の通信システム１００は符号分割多重接続（ＣＤＭＡ）システムであるが、本発明はデータおよび／または音声通信をサポートする他のシステムに適用可能であることを理解されたい。通信システム１００により、１つまたは複数のモバイル装置１２０は、１つまたは複数の基地局１３０を通じてインターネットなどのデータ網１２５および／または公衆交換電話網（ＰＳＴＮ）１２８との通信が可能である。モバイル装置１２０は携帯電話、携帯情報端末（ＰＤＡ）、ラップトップ型コンピュータ、デジタル・ページャー、無線カードおよび基地局１３０を介してデータ網１２５および／またはＰＳＴＮ１２８にアクセス可能なその他の装置を含む様々な装置の形態をとってよい。
【００１１】
１つの実施形態で、複数の基地局１３０は、Ｔ１／Ｅ１回線または回路、ＡＴＭ回路、ケーブル、光デジタル加入者回線（ＤＳＬ）等といった１つまたは複数の接続によって無線ネットワーク制御装置（ＲＮＣ）１３８に結合されてよい。複数のＲＮＣ１３８が多くの基地局１３０とのインタフェース接続に利用されてよいことを当業者は理解しよう。一般に、ＲＮＣ１３８は接続されている基地局１３０を制御し調整するために作動する。図１のＲＮＣ１３８は一般に、応答、通信、実行時間およびシステム管理サービスを提供する。ＲＮＣ１３８は、例示する実施形態において、呼出パスの設定および解除などの呼出処理機能を扱い、各ユーザ１２０および基地局１３０の各々によってサポートされる各セクタのための順方向および／または逆方向リンク上のデータ送信速度を決定することができる。
【００１２】
ＲＮＣ１３８の各々は、複数の移動交換局（ＭＳＣ：Ｍｏｂｉｌｅ  Ｓｗｉｔｈｃｉｎｇ  Ｃｅｎｔｅｒ）１４０のうちの１つに結合されている。ＭＳＣ１４０は一般に、モバイル装置１２０の呼出経路指定に関する参照情報を提供する役割を担う。一般に、以下でより詳細に説明するように、ＭＳＣ１４０はモバイル装置１２０によって提供される移動局識別情報（ＭＳＩＤ）を用いて呼出経路指定を制御する。
【００１３】
ＭＳＣ１４０はまた、Ｔ１／Ｅ１回線または回路、ＡＴＭ回路、ケーブル、光デジタル加入者回線（ＤＳＬ）等といった様々な形態を取ってよい接続を経由して、中核ネットワーク（ＣＮ）１５０に結合されている。一般にＣＮ１５０は、データ網１２５および／またはＰＳＴＮ１３８へのインタフェースとして作動する。ＣＮ１５０は、ユーザ認証などの様々な機能および動作を実行するが、ＣＮ１５０の構造および動作の詳細な説明は、本発明の理解と認識のために必要ではない。したがって、本発明を不必要に曖昧にすることを避けるために、本明細書でＣＮ１５０のさらなる詳細を示すとこはしない。
【００１４】
データ網１２５は、インターネット・プロトコル（ＩＰ）に従ったデータ網などのパケット交換データ網でもよい。ＩＰの１つのバージョンは、１９８１年９月付の「Ｉｎｔｅｒｎｅｔ  Ｐｒｏｔｏｃｏｌ」という題名のＲｅｑｕｅｓｔ  ｆｏｒ  Ｃｏｍｍｅｎｔｓ（ＲＦＣ）７９１の中で説明されている。ＩＰｖ６などのＩＰのその他のバージョンまたはその他の接続なしのパケット交換規格もまた、さらなる実施形態の中で利用されてよい。ＩＰｖ６バージョンは、１９９８年１２月付の「Ｉｎｔｅｒｎｅｔ  Ｐｒｏｔｏｃｏｌ，Ｖｅｒｓｉｏｎ６（ＩＰｖ６）Ｓｐｅｃｉｆｉｃａｔｉｏｎ」という題名のＲＦＣ２４６０の中で説明されている。データ網１２５はまた、さらなる実施形態の中でその他の型のパケット基準のデータ網を含んでよい。こうしたその他の型のパケット基準のデータ網の実施例は、非同期転送モード（ＡＴＭ）、フレーム・リレー網などを含む。
【００１５】
本明細書で使用する際、「データ網」は、１つまたは複数の通信ネットワーク、チャネル、リンクまたはパスおよびそうしたネットワーク、チャネル、リンクまたはパスを介してデータを送るために使用されるシステムまたは（ルータなどの）装置を指す。
【００１６】
したがって、通信システム１００がモバイル装置１２０とデータ網１２５および／またはＰＳＴＮ１２８との間の通信を促進させることを当業者は理解しよう。しかしながら、図１の通信システム１００の構成は、本来例示的なものであって、本発明の趣旨および範囲を逸脱することなく、より少ない構成部品または追加の構成部品が通信システム１００のその他の実施形態の中で使用可能であることを理解されたい。
【００１７】
特に別途の記載がない限り、または本考察から明白なように、「処理」または「計算」または「算定」または「決定」または「表示」等の語句は、コンピュータ・システムのレジスタまたはコンピュータ・システムのレジスタおよびメモリ内で物理的、電子的数量として表されるデータを、コンピュータ・システムのメモリもしくはレジスタまたはその他の情報記憶装置、送信装置もしくは表示装置内で同様に物理的数量として表されるその他のデータに操作し変換する同様の電子コンピューティング装置のアクションまたは処理を指す。
【００１８】
米国では歴史的に、モバイル装置１２０の各々がモバイル識別番号（ＭＩＮ）からなる固有の移動局識別情報（ＭＳＩＤ）を使用していることを当業者は理解しよう。現行基準では、ＭＩＮは１０桁である。ＭＩＮは、北米では無線サービス・プロバイダ向けのＭＩＮブロック・アドミニストレータ（ＭＩＮ  Ｂｌｏｃｋ  Ａｄｍｉｎｉｓｔｒａｔｏｒ）、北米以外の無線サービス・プロバイダ向けには国際ローミングＭＩＮアドミニストレータ（Ｉｎｔｅｒｎａｔｉｏｎａｌ  Ｒｏａｍｉｎｇ  ＭＩＮ  Ａｄｍｉｎｉｓｔｒａｔｏｒ）によって割り当てられ管理されている。現行の基準では、各モバイル装置１２０に２つの識別子をプログラムすることが認められている。１つは１５桁の「真のＩＭＳＩ」、もう１つは「ＭＩＮベースのＩＭＳＩ」で、「ＭＩＮベースのＩＭＳＩ」は、固有のものではないため経路設定に使用できない５桁の「デフォルト」ネットワーク識別子と、それに続く１０桁のＭＩＮからなる。本発明の１つの実施形態では、各モバイル装置１２０には、真のＩＭＳＩとＭＩＮベースのＩＭＳＩの両フィールドが同じ桁数でプログラムされている。
【００１９】
次いで図２Ａを参照すると、本発明の１つの実施形態において、真のＩＭＳＩとＭＩＮベースのＩＭＳＩは同一のものとして選択され、各々は１５桁の番号の形を取る。そのうち、３桁のモバイル国コード（ＭＣＣ）２００と２桁のモバイル・ネットワーク・コード（ＭＮＣ）２０２とが合わさって５桁のホームネットワーク識別子２０４となっている。真のＩＭＳＩとＭＩＮベースのＩＭＳＩの最下位１０桁にある移動局識別番号（ＭＳＩＮ）２０６は、通常の１０桁のＭＩＮ２０６から形成されている。図２Ｂが示すように、ＩＭＳＩを構築するこの仕組みは北米のＩＭＳＩの現行標準と異なり、北米の現行標準は通常、５桁のＨＮＩ２１４を認めておらず、本発明のこの実施形態におけるＨＮＩ２０４は、割り当てられた情報を含み、実際にＭＣＣ２００とＭＮＣ２０２からモバイル装置のホームネットワークを識別する。
【００２０】
さらに、モバイル装置のホームネットワークがＭＩＮ２０６の使用をサポートしているときは、ＭＩＮ２０６はモバイル装置１２０のＭＩＮに対応しており、ＭＩＮ２０６をモバイル装置１２０のＭＩＮとして使用してよい。本発明の１つの実施形態において、各サービス・プロバイダが自身のＭＩＮを管理する権限を有することが期待される。すなわち、各サービス・プロバイダは他のサービス・プロバイダに関わらずＭＩＮ２０６の割当が認められる。本発明の範囲内において、２つのサービス・プロバイダが２つの異なるモバイル装置１２０に同一のＭＩＮ２０６を割り当てる可能性があることを当業者は理解しよう。しかし、以下でより詳しく説明するように、２つのモバイル装置１２０が同一でないＨＮＩ２０４を有することで、全世界で固有の１５桁のＩＭＳＩが生まれることになる。ローミング・モバイル装置１２０は、最初にサービス・システムへのアクセスを試みるときに全１５桁のＩＭＳＩを提供するため、サービス・システムはＨＮＩを使ってローミング加入者とローミング加入者のホームサービス・プロバイダを識別することができる。
【００２１】
この番号付け方式が、業界が現在直面している１０桁のＭＩＮ２０６が近いうちに枯渇するという問題を緩和するであろうことを当業者は理解しよう。さらに、ホームネットワーク内にある各モバイル装置１２０を固有に特定するには１０桁のＭＩＮ２０６で十分なため、モバイル装置１２０は、ホームネットワーク内にある場合、１５桁のＩＭＳＩではなく１０桁のＭＩＮを引き続き使用してよい。
【００２２】
この番号付け方式による有益な結果のいくつかには、加入者の１０桁のＭＩＮを引き続き使用できることから、現在のＣＤＭＡ処理が電波インタフェースの効果的な使用をサポ−トすることが含まれる。さらに、米国規格協会（ＡＮＳＩ）４１のＩＳＰＡＧＥとＩＳＰＡＧＥ２は、ＭＩＮベースのＩＭＳＩと真のＩＭＳＩが同じであるため、若干の変更だけで引き続き適切に処理できる。つまり、サービスＭＳＩ（ｓｅｒｖｉｎｇ  ＭＳＩ）１４０がＩＳＰＡＧＥまたはＩＳＰＡＧＥ２内のＭＩＮ拡張パラメータ（ＭＩＮＥｘｔｅｎｓｉｏｎ  ｐａｒａｍｅｔｅｒ）にボーダーＭＳＣ（ｂｏｒｄｅｒ  ＭＳＣ）１４０に送信するためのＭＩＮベースのＩＭＳＩのＨＮＩを有しておらず、ボーダーＭＳＣが真のＩＭＳＩをサポートしていない場合（後述のＥＳＰＭのＩＭＳＩ＿Ｔ＿ＳＵＰＰＯＲＴＥＤ＝０）、サービスＭＳＣ（ｓｅｒｖｉｎｇ  ＭＳＣ）１４０またはボーダーＭＳＣ１４０は、ＨＮＩがＩＭＳＩパラメータ（真のＩＭＳＩ）内のＨＮＩと同一であると想定し、そのページにＨＮＩの桁を置くことができる。
【００２３】
さらに、国際ローミングは、２種類のＩＭＳＩ、すなわち、ＭＩＮベースのＩＭＳＩと真のＩＭＳＩの使用に必要な追加のＩＭＳＩの管理、割り当ておよび提供なしでサポートされる。現在ではＩＭＳＩは２種類とも、ＨＮＩを別途割り当てる必要なく、同じＨＮＩを使用してよい。また、番号付け方式は５桁のＨＮＩをサポートする現在のＥ．２１４のグローバル・タイトル変換（ＧＴＴ）の実行と整合する。
【００２４】
さらに、提案される番号付け方式では６桁のＨＮＩの使用は廃止となるため、改良ローミング・リスト（ｅＰＲＬ：ｅｎｈａｎｃｅ  Ｐｒｅｆｅｒｒｅｄ  Ｒｏａｍｉｎｇ  Ｌｉｓｔ）のための変更は必要ない。ｅＰＲＬの使用は、（ａ）基地局が潜在的サービス・システムの５桁のＨＮＩを同報通信し、自身を特定すること、および（ｂ）モバイル装置１２０がこの５桁のＨＮＩを用い、それをモバイル装置１２０にプログラムされる好ましいローミング・パートナーの５桁のＨＮＩの優先リストと比較してアクセスするサービス・システムを選択することを要求する。５桁のＨＮＩは、基地局１３０によって拡張システム・パラメータ・メッセージ（ＥＳＰＭ）内で無線により同報通信される。ＥＳＰＭ内の５桁のＨＮＩ内では、５桁のＨＮＩのモバイルｅＰＲＬは、再プログラミングの必要がない。同様に、６桁のＨＮＩをサポートするためのＩＳ−２０００への変更およびモバイルに無線でｅＰＲＬを提供するためのＩＳ−６８３への変更は必要ない。
【００２５】
次いで図３〜６を参照すると、流れ図は、様々なモバイル装置１２０が様々なサービス・プロバイダとの通信を求める各種シナリオにおけるシステム１００の各種構成要素間で交換されるメッセージを整理して示している。
【００２６】
まず図３を参照すると、真のＩＭＳＩとＭＩＮベースのＩＭＳＩを有するモバイル装置（ＭＳ）１２０は、そのホームサービス・プロバイダの基地局（ＢＳ）１３０と通信しようとしており、そのことは、ＨＮＩを３１１１２に設定する拡張システム・パラメータ・メッセージ（ＥＳＰＭ）の信号によって示されている。また、基地局１３０は、１５桁のＩＭＳＩがサービスＭＳＣ１４０によってモバイル・アプリケーション・プロトコルでサポートされていない（ＩＭＳＩ＿Ｔ＿ＳＵＰＰＯＲＴＥＤ＝０）という信号をＥＳＰＭで送っている。このシナリオでは、モバイル装置１２０は、受信したＨＮＩが内部に格納されたＨＮＩと合致することからホームサービス・プロバイダと通信していることを認識し、それを受けてモバイル装置１２０は、ＩＭＳＩのうち１０桁のＭＩＮの部分のみを含む登録メッセージ（ＲＧＭ（ＩＭＳＩ＝ＩＭＳＩ＿Ｍ＿Ｓ））を配信する。当業者は、現在の基準では、モバイル装置１２０が、ＭＣＣ＋００（例えば米国における３１０００）という５桁のＨＮＩの値を含む効率性の低い１５桁の応答を常に送信することを理解しよう。これは、国内の全てのサービス・プロバイダが加入者のモバイル装置において利用できる、ＨＮＩのデフォルト値または割り当てられていない値である。よって、ＭＣＣ＋００は、サービス・プロバイダを特定せず、ｅＰＲＬ、ＥＳＰＭにおけるＨＮＩにおいて、またはメッセージの経路指定のために使用されることはない。したがって、ＥＳＰＭにおけるＨＮＩの同報通信は、モバイル装置１２０におけるＩＭＳＩ＿ＭのＨＮＩと決して合致せず、モバイル装置１２０は常に、基地局１３０に１５桁を送信する。
【００２７】
引き続き図３を参照すると、基地局１３０はその５桁のＨＮＩ（例えば３１１１２）を頭に付けて、位置更新要求（ＬＵＲ）で１５桁のＩＭＳＩをサービスＭＳＣ１４０に転送する。このシナリオでサービスＭＳＣ１４０は、モバイル・アプリケーション・プロトコルでモバイル識別情報の１５桁のＩＭＳＩをサポートしていないため、ＩＭＳＩのＨＮＩの部分をＭＩＮ拡張としてデータベース４００に格納する。ＭＩＮ拡張は後の呼出配信に必要となる。その後、サービスＭＳＣ１４０は、ＩＭＳＩのＭＩＮの部分を有する登録通知（ＲＥＧＮＯＴ）を、ネットワークまたはシステム１００の中に位置するホーム・ロケーション・レジスタ（ＨＬＲ）に転送する。登録通知メッセージは、システム内の信号としてＭＩＮまたは１５桁のＩＭＳＩを用いてネットワークを通じてＨＬＲへの経路が設定される。当業者は、現在の基準では、１５桁の固有識別子が経路設定の目的で利用できないことを理解しよう。
【００２８】
モバイル装置１２０の呼び出しがネットワーク１００からサービスＭＳＣ１４０にＲＯＵＴＥＲＲＥＱ／ＴＬＤＮ（ＭＩＮ＝ＩＭＳＩ＿Ｍ＿Ｓ）の形で到着した場合、サービスＭＳＣ１４０は、サービスＭＳＣデータベース４００にＭＩＮ拡張として格納されたモバイルの以前に格納された５桁のＨＮＩをＭＩＮ（ＩＭＳＩ＿Ｍ＿Ｓ）の前に付けることによって、１５桁のＩＭＳＩのページング要求（ＰＲ）を形成し、それを基地局１３０に送る。基地局１３０はその後、１０桁のＩＭＳＩ＿Ｍ＿Ｓのみを用いて移動局１２０にページを発行し、繰り返しになるが、結果的に、ページのために１５桁のＩＭＳＩが使用された場合よりも電波インタフェースが効率的に使用されることになる。
【００２９】
次いで、図４を参照すると、真のＩＭＳＩとＭＩＮベースのＩＭＳＩをＨＮＩの値引２３４という同一の値に設定したローミング・モバイル装置（ＭＳ）１２０が、非ホームサービス・プロバイダの基地局（ＢＳ）１３０と通信しようとしており、そのことは、ＨＮＩを３１１１２に設定しているＥＳＰＭの信号によって示されている（モバイル装置１２０のＨＮＩは３１２３４に設定されている）。また、非ホームサービス・プロバイダ基地局１３０は、真のＩＭＳＩがサービスＭＳＩによってモバイル・アプリケーション・プロトコルでサポートされていない（ＩＭＳＩ＿Ｔ＿ＳＵＰＰＯＲＴＥＤ＝０）という信号をＥＳＰＭで送っている。モバイル装置１２０は、ＭＩＮベースのＩＭＳＩ（ＩＭＳＩ＿Ｍ）から形成される１５桁の登録メッセージを基地局１３０に送信する。基地局１３０は、同じＭＩＮベースのＩＭＳＩに基づく１５桁の位置更新要求（ＬＵＲ（ＩＭＳＩ＝ＩＭＳＩ＿Ｍ））を送る。ここでも、サービスＭＳＣ１４０はモバイル・アプリケーション・プロトコルでモバイル識別情報の１５桁のＩＭＳＩを支援していないため、後の呼出配信のためにＩＭＳＩのＨＮＩの部分をＭＩＮ拡張としてサービスを提供しているＭＳＣデータベース４００に格納し、その後、登録通知をローミング・サービス利用者のホームネットワークまたはシステム１００の中に位置するホーム・ロケーション・レジスタ（ＨＬＲ）に転送する。登録通知メッセージは、システム間信号として基地局によってサービスＭＳＣに提供された１５桁のＩＭＳＩを用いてネットワークを通じてＨＬＲへのルートが設定される。当業者は、現在の基準では、１５桁の固有識別子が経路設定の目的で利用できないことを理解しよう。
【００３０】
モバイルの呼び出しがネットワーク１００からサービスＭＳＣ１４０にＲＯＵＴＥＲＲＥＱ／ＴＬＤＮ（ＭＩＮ＝ＩＭＳＩ＿Ｍ＿Ｓ）の形で到着すると、サービスＭＳＣ１４０は、サービスＭＳＣデータベース４００にＭＩＮ拡張として格納された以前に格納されたモバイルの５桁のＨＮＩをＭＩＮの前に付けることによって、１５桁のＩＭＳＩのページング要求（ＰＲ）を生成し、それを基地局１３０に転送する。基地局１３０はその後、１５桁のＩＭＳＩ＿Ｍを用いて移動局１２０にページを発行する。
【００３１】
次いで図５を参照すると、モバイル装置（ＭＳ）１２０は、ＭＩＮベースのＩＭＳＩと同一の真のＩＭＳＩを有している。基地局１３０から同報通信されるＥＳＰＭは、ＩＭＳＩ＿Ｔ＿ＳＵＰＰＯＲＴＥＤ＝１を含む。これは、モバイル装置１２０が、ＭＩＮベースのＩＭＳＩではなく真のＩＭＳＩ＿Ｔを用いてサービスＭＳＣ１４０に登録しようとしていることを意味する。ＥＳＰＭにおけるＨＮＩがモバイル装置１２０におけるＨＮＩと同じであることからも分かるように、モバイル装置１２０はホームにあるため、モバイル装置１２０は１０桁の登録メッセージを基地局１３０に送信するだけでよい。これは、真のＩＭＳＩのＭＩＮの部分（ＩＭＳＩ＿Ｔ＿Ｓ）である。
【００３２】
基地局１３０は、真のＩＭＳＩの同じＩＭＳＩ＿Ｔ＿Ｓ部分の前にＨＮＩを付けることによって、サービスＭＳＣ１４０に１５桁のＬＵＲ（ＬＵＲ（ＩＭＳＩ＝３１１＋１２＋ＩＭＳＩ＿Ｔ＿Ｓ））を送る。
【００３３】
本発明の１つの実施形態では、モバイルはＭＩＮベースのＩＭＳＩと真のＩＭＳＩの両方を提供されているため、現行基準に記載されているように、サービスＭＳＣデータベース４００のＭＩＮエスケープ・コード・リストは不要であり、基地局１３０によって同報通信されるＥＳＰＭのＩＭＳＩ＿Ｔ＿ＳＵＰＰＯＲＴＥＤの値は、モバイル・アプリケーション・プロトコルでＭＩＮまたはＩＭＳＩがサポートされるか否かを示す。
【００３４】
現在の基準では、モバイル・アプリケーション・プロトコルでＩＭＳＩをサポートしているサービスＭＳＣ１４０は、モバイル装置１２０から受信するＭＩＮベースのＩＭＳＩと真のＩＭＳＩとを区別しなければならない。本発明の１つの実施形態では、ＭＩＮベースのＩＭＳＩは真のＩＭＳＩに等しいため、この区別はもはや必要ない。モバイル装置１２０は、モバイルの登録のためにＭＩＮベースのＩＭＳＩを使用しているのか、それとも真のＩＭＳＩを使用しているのかを示さず、ＭＩＮベースのＩＭＳＩは真のＩＭＳＩと等しくないため、真のＩＭＳＩに対してＭＩＮベースのＩＭＳＩを識別することは、サービスＭＳＣ１４０で必要だった。よって、サービスＭＳＣ１４０は、モバイル装置１２０から受信したＩＭＳＩがＭＩＮベースのＩＭＳＩなのか、あるいは真のＩＭＳＩなのかを識別しなければならなかった。真のＩＭＳＩがモバイル装置１２０で提供されていない場合に、真のＩＭＳＩをサポートする（ＥＳＰＭ（ＩＭＳＩ＿Ｔ＿ＳＵＰＰＯＲＴＥＤ＝１））サービスＭＳＣ１４０はＭＩＮベースのＩＭＳＩを提供されるため、ＩＭＳＩの識別が必要だった。本発明の１つの実施形態では、ＭＩＮベースのＩＭＳＩと真のＩＭＳＩとは等しいため、ＭＩＮエスケープ・コード・リストはもはや必要ない。
【００３５】
サービスＭＳＣ１４０は真のＩＭＳＩをサポートしているため（ＩＭＳＩ＿Ｔ＿ＳＵＰＰＯＲＴＥＤ＝１）、サービスＭＳＣ１４０は、ホーム・ロケーション・レジスタ（ＨＬＲ）用のネットワーク・アドレスとしてＭＩＮまたはＩＭＳＩを用いてネットワークまたはシステム１００内にあるＨＬＲに１５桁の登録通知（ＲＥＧＮＯＴ（ＩＭＳＩ＝３１１＋１２＋ＩＭＳＩ＿Ｔ＿Ｓ））を送る。ＭＩＮはホームネットワーク内で固有であるため、サービスＭＳＣ１４０とネットワーク１００との間のネットワーク・アドレス指定は、いずれのＭＩＮに基づいてよい。
【００３６】
モバイルの呼出がネットワークからサービスＭＳＣ１４０にＲＯＵＴＥＲＲＥＱ／ＴＬＤＮ（ＩＭＳＩ＝３１１＋１２＋ＩＭＳＩ＿Ｔ＿Ｓ）の形で到着すると、サービスＭＳＣ１４０は、ＲＯＵＴＥＲＥＱで受信されるＩＭＳＩを用いて基地局１３０に１５桁のページング要求（ＰＲ）を送信する。基地局１３０はその後、１０桁のＩＭＳＩ＿Ｔ＿Ｓのみを用いて移動局１２０に１０桁のページを発行する。
【００３７】
次いで図６を参照すると、真のＩＭＳＩを有するが同じ値に設定されたＭＩＮベースのＩＭＳＩを有しないローミング・モバイル装置（ＭＳ）１２０が、非ホームサービス・プロバイダの基地局（ＢＳ）１３０と通信しようとしており、そのことは、ＨＮＩを３１１１２に設定しているＥＳＰＭの信号によって示されている（モバイル装置１２０のＨＮＩは３１２３４に設定されている）。また、非ホームサービス・プロバイダ基地局１３０は、真のＩＭＳＩがサービスＭＳＣによってモバイル・アプリケーション・プロトコルでサポートされている（ＩＭＳＩ＿Ｔ＿ＳＵＰＰＯＲＴＥＤ＝１）という信号を送っている。モバイル装置１２０は、１５桁の登録メッセージを、ＨＮＩとＩＭＳＩ＿Ｔ＿Ｓとからなる真のＩＭＳＩの形で基地局１３０に送信する。基地局１３０は、同じ真のＩＭＳＩに基づく１５桁の位置更新要求（ＬＵＲ（ＩＭＳＩ＝３１２＋３４＋ＩＭＳＩ＿Ｔ＿Ｓ））をサービスＭＳＣ１４０に送る。サービスＭＳＣ１４０はその後、１５桁のＩＳＭＩを用いて、ネットワークまたはシステム１００の中に位置するホーム・ロケーション・レジスタ（ＨＬＲ）に登録通知を送る。ＭＩＮはもはや固有であるとして管理されていないため、サービスＭＳＣ１４０とネットワークとの間のネットワーク・アドレス指定は、ＩＭＳＩに基づく。
【００３８】
ネットワークからサービスＭＳＣ１４０へのＲＯＵＴＥＲＲＥＱ／ＴＬＤＮ（ＩＭＳＩ＝３１２＋３４＋ＩＭＳＩ＿Ｔ＿Ｓ）の形でのモバイルの呼び出しのために、サービスＭＳＣ１４０は、ＲＯＵＴＥＲＥＱで受信されたＩＭＳＩを用いて１５桁のページング要求を形成する。これは、基地局１３０に転送される。基地局１３０はその後、ＨＮＩとＩＭＳＩ＿Ｔ＿Ｓから形成される１５桁のＩＭＳＩを用いて基地局１２０にページを発行する。
【００３９】
当業者は、本明細書の様々な実施形態で例示した様々なシステム層、ルーチンまたはモジュールが実行可能な制御装置であってよいことを理解しよう。制御装置は、マイクロプロセッサ、マイクロコントローラ、デジタル信号プロセッサ、プロセッサ・カード（１つまたは複数のマイクロプロセッサまたはコントローラを含む）またはその他の制御もしくはコンピューティング装置を含んでよい。本考察で言及される記憶装置は、データおよび命令を格納するための１つまたは複数の機械可読の記憶媒体を含んでよい。記憶媒体は、ダイナミックＲＡＭまたはスタティックＲＡＭ（ＤＲＡＭまたはＳＲＡＭ）、消去可能ＰＲＯＭ（ＥＰＲＯＭ）、電気的消去可能ＰＲＯＭ（ＥＥＰＲＯＭ）およびフラッシュ・メモリなどの半導体記憶装置、固定ディスク、フロッピー（登録商標）・ディスクまたは取り外し可能なディスクなどの磁気ディスク、テープを含むその他の磁気媒体ならびにコンパクト・ディスク（ＣＤ）またはデジタル・ビデオ・ディスク（ＤＶＤ）などの光媒体を含む様々な形態の記憶装置を含んでよい。様々なシステムにおける様々なソフトウェア層、ルーチンまたはモジュールを作る命令は、それぞれの記憶装置に格納されてよい。命令は、制御装置が実行したときに、対応するシステムにプログラムされた動きをさせる。
【００４０】
本発明は、本明細書の利益を得る当業者に明らかな、異なるものの同等の方法での変更および実施が可能であるため、先に開示した特定の実施形態は単なる実例に過ぎない。さらに、冒頭の特許請求の範囲で述べている以外に、本明細書に示される構成または設計の詳細に制限を設けることは意図しない。したがって、方法、システムおよびその一部ならびに説明した方法およびシステムの一部は、無線装置、基地局、基地局コントローラ、および／または移動交換局など様々な場所で実施されてよい。さらに、説明したシステムの実施および使用に必要な処理回路は、アプリケーション専用集積回路、ソフトウェア駆動による処理回路、ファームウェア、プログラム可能論理装置、ハードウェアおよび本開示の利益を有する当業者によって理解される上記の構成部分の独立した構成要素または配置の中で実施されてよい。したがって、先に開示した特定の実施形態は改造または変更が可能であり、そうした変形物の全ては本発明の範囲および精神の中にあると見なされることは明らかである。したがって、本明細書で求められる権利の保護は、冒頭の特許請求の範囲に記載されている。
【図面の簡単な説明】
【００４１】
【図１】本発明が使用され得る典型的な通信システムのブロック図である。
【図２】図２Ａは、本発明の少なくともいくつかの態様を使用し、図１の通信システムで用いられるＩＭＳＩ番号付け方式の形式を示す図であり、図２Ｂは、今日、米国で用いられているＩＭＳＩ番号付け方式の形式を示す図である。
【図３】各種モバイル装置がさまざまなサービス・プロバイダとの通信を求め得る本発明の１つの態様に基づく図１の通信システムの様々な構成要素間で交換されるメッセージを整理して示した流れ図である。
【図４】各種モバイル装置がさまざまなサービス・プロバイダとの通信を求め得る本発明の１つの態様に基づく図１の通信システムの様々な構成要素間で交換されるメッセージを整理して示した流れ図である。
【図５】各種モバイル装置がさまざまなサービス・プロバイダとの通信を求め得る本発明の１つの態様に基づく図１の通信システムの様々な構成要素間で交換されるメッセージを整理して示した流れ図である。
【図６】各種モバイル装置がさまざまなサービス・プロバイダとの通信を求め得る本発明の１つの態様に基づく図１の通信システムの様々な構成要素間で交換されるメッセージを整理して示した流れ図である。
【図１】
2009512276.tif 000003
【図２】
2009512276.tif 000004
【図３】
2009512276.tif 000005
【図４】
2009512276.tif 000006
【図５】
2009512276.tif 000007
【図６】
2009512276.tif 000008
【国際調査報告】
2009512276.tif 000009
2009512276.tif 000010
2009512276.tif 000011